(57)【要約】      （修正有）【課題】ネイルダストが散乱し、部屋が汚れ、不衛生となることを防止することができるネイルダスト散乱防止カバーを提供する。【解決手段】前面板と背面板、左側面板と右側面板、及び透明な上面板で構成されたネイルダスト散乱防止カバーにおいて、左側面板と前面板と接合部に施術者の左手を入れる第１開口部０１を有し、右側面板と前面板と接合部が施術者の右手を入れる第２開口部０２を有し、上記後面板が被施術者の右手又は左手を入れる第３開口部０３を有することを特徴とするネイルダスト飛散防止カバー。【選択図】図１
0003163058.tif 000002
【実用新案登録請求の範囲】
【請求項１】
前面板と背面板、左側面板と右側面板、及び透明な上面板で構成されたネイルダスト散乱防止カバーにおいて、左側面板と前面板と接合部に施術者の左手を入れる第１開口部を有し、右側面板と前面板と接合部が施術者の右手を入れる第２開口部を有し、上記後面板が被施術者の右手又は左手を入れる第３開口部を有することを特徴とするネイルダスト飛散防止カバー。
【請求項２】
前記第１開口部、前記第２開口部が、直線Ｌ１、直線Ｌ２、直線Ｌ３、直線Ｌ４で囲まれた切欠き部であり、  前記第３開口部が、直線Ｌ５、直線Ｌ６、直線Ｌ７で囲まれた切欠き部である。こと  ここに、直線Ｌ１、直線Ｌ４、直線Ｌ５、直線Ｌ７は、垂直線であり、直線Ｌ２、直線Ｌ３、直線Ｌ６は、同一高さに位置する水平線である。ことを特徴とする請求項１に記載されたネイルダスト飛散防止カバー。
【請求項３】
前記透明な上面板が、後面板から前面板に向って下り勾配を有していることを特徴とする請求項１〜２の何れかに記載されたネイルダスト飛散防止カバー。
【請求項４】
前記第１開口部、前記第２開口部、前記第３開口部において、隅部が丸みを有していることを特徴とする請求項１〜３の何れかに記載のネイルダスト飛散防止カバーを特徴とする請求項１〜３の何れかに記載されたネイルダスト飛散防止カバー。
【請求項５】
前記請求項１〜４の何れかに記載されたネイルダスト飛散防止カバーとその下に敷くシートとの組み合わせ。
【考案の詳細な説明】
【技術分野】
【０００１】
本考案は、ネイルダスト飛散防止カバーに関する。より詳細には、爪の装飾や手入れを行うネイルサロン等では、専用の研磨装置を用いて爪の研磨が行われるが、この研磨により生じたネイルダスト飛散防止カバーに関する。
【背景技術】
【０００２】
爪の装飾や手入れを行うネイルサロン等では、専用の研磨装置を用いて爪の研磨が行われるが、この研磨により生じたネイルダストが飛散し、空気中に浮遊した状態となる。
【０００３】
このため、空気を吸引してフィルタ等で濾過することにより空気中のネイルダストを取り除く吸引装置を稼動させながら爪の研磨が行われていた。
なお、特許文献１には、このような吸引装置が内蔵された作業台が記載されている。
【先行技術文献】
【特許文献】
【０００４】
【特許文献１】特開２００６−３４６６１号公報
【考案の概要】
【考案が解決しようとする課題】
【０００５】
○本考案が解決しようとする第１課題
本考案が解決しようとする第１課題は、ネイルダストが散乱し、部屋が汚れ、不衛生となることを防止することができるネイルダスト散乱防止カバーを提供することである。
○本考案が解決しようとする第２課題
本考案が解決しようとする第２課題は、散乱したネイルダストを人が吸い込み、体内に入ることを防止すること防止することができるネイルダスト散乱防止カバーを提供することである。
○本考案が解決しようとする第３課題
本考案が解決しようとする第３課題は、製造の際の製造工程を省略することによって実現可能な安価なネイルダスト散乱防止カバーを提供することである。
○本考案が解決しようとする第４課題
本考案が解決しようとする第４課題は、椅子に腰かけた被施術者又は施術者が不慮の原因により急に腰から床に落下した場合であっても、被施術者又は施術者の手がネイルダスト散乱防止カバーから大きな力を受けて被施術者又は施術者が怪我をしたり、痛みを感じたりしないようにしたネイルダスト散乱防止カバーを提供することである。
○本考案が解決しようとする第５課題
本考案が解決しようとする第５課題は、ネイルダスト散乱防止カバー内に溜められたネイルダストを簡単に廃棄可能なネイルダスト散乱防止カバーとシートを提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○ネイルダストとは、爪の装飾や手入れを行うネイルサロン等では、専用の研磨装置を用いて爪の研磨が行われるが、この研磨により生じた粉塵等をいう。
○ネイルダスト散乱防止カバーとは、本考案にかかる物品であって、ネイルダストが、部屋の中で散乱するのを防止するためのカバーをいう。
ネイルダスト散乱防止カバーは、前面板と背面板、左側面板と右側面板、及び透明な上面板で構成されていて、底面板は存在せず、底面は開放されている。
○開口部とは、ネイルダスト散乱防止カバーにおいて、左側面板と前面板との接合部の一部、右側面板と前面板との接合部の一部、及び、後面板の一部が開放された部分をいう。
開口部には、左側面板と前面板と接合部に施術者の左手を入れる（出す）第１開口部があり、右側面板と前面板と接合部が施術者の右手を入れる（出す）第２開口部があり、上記後面板が被施術者の右手又は左手を入れる（出す）第３開口部がある。
○第１開口部とは、直線Ｌ１、直線Ｌ２、直線Ｌ３、直線Ｌ４で囲まれた開口部である。  ここに、直線Ｌ１、直線Ｌ４、直線Ｌ５、直線Ｌ７は、垂直線であり、直線Ｌ２、直線Ｌ３、直線Ｌ６は、同一高さに位置する水平線である。
○第２開口部とは、直線Ｌ１、直線Ｌ２、直線Ｌ３、直線Ｌ４で囲まれた開口部である。  ここに、直線Ｌ１、直線Ｌ４、直線Ｌ５、直線Ｌ７は、垂直線であり、直線Ｌ２、直線Ｌ３、直線Ｌ６は、同一高さに位置する水平線である。
○第３開口部とは、前記第３開口部が、直線Ｌ５、直線Ｌ６、直線Ｌ７で囲まれた開口部である。  ここに、直線Ｌ１、直線Ｌ４、直線Ｌ５、直線Ｌ７は、垂直線であり、直線Ｌ２、直線Ｌ３、直線Ｌ６は、同一高さに位置する水平線である。
○直線Ｌ１、直線Ｌ２、直線Ｌ３、直線Ｌ４とは、第１開口部、第１開口部の輪郭線の全て又は一部を構成する垂直線又は水平線である。  ここに、直線Ｌ１、直線Ｌ４、直線Ｌ５、直線Ｌ７は、垂直線であり、直線Ｌ２、直線Ｌ３、直線Ｌ６は、同一高さに位置する水平線である。
○直線Ｌ５、直線Ｌ６、直線Ｌ７とは、第３開口部の輪郭線の全て又は一部を構成する垂直線又は水平線である。  ここに、直線Ｌ１、直線Ｌ４、直線Ｌ５、直線Ｌ７は、垂直線であり、直線Ｌ２、直線Ｌ３、直線Ｌ６は、同一高さに位置する水平線である。
○前面板と背面板、左側面板と右側面板、及び透明な上面板とは、ネイルダスト散乱防止カバーを構成する構成要件である。
明な上面板とあるのは、施術者が被施術者の手を観察しながら、ネイル美容を施すことを容易にするためである。
○隅部Ｃ１、Ｃ２、Ｃ３、Ｃ４とは、隅部の位置を明確にするために、それぞれ符号Ｃ１、Ｃ２、Ｃ３、Ｃ４を付したものである。
課題を解決するための手段は、本願の実用新案登録請求の範囲の各請求項に記載の考案であり、その具体的な解決手段は、以下の通りである。
○第１の考案（請求項１に記載の考案）
●上記の課題を解決するための第１の考案（請求項１に記載の考案）は、前面板と背面板、左側面板と右側面板、及び透明な上面板で構成されたネイルダスト散乱防止カバーにおいて、左側面板と前面板と接合部に施術者の左手を入れる第１開口部を有し、右側面板と前面板と接合部が施術者の右手を入れる第２開口部を有し、上記後面板が被施術者の右手又は左手を入れる第３開口部を有することを特徴とするネイルダスト飛散防止カバーである。
○第２の考案（請求項２に記載の考案）
●上記の課題を解決するための第２の考案（請求項２に記載の考案）は、前記第１開口部、前記第２開口部が、直線Ｌ１、直線Ｌ２、直線Ｌ３、直線Ｌ４で囲まれた切欠き部であり、前記第３開口部が、直線Ｌ５、直線Ｌ６、直線Ｌ７で囲まれた切欠き部であることを特徴とするネイルダスト飛散防止カバーである（ここに、直線Ｌ１、直線Ｌ４、直線Ｌ５、直線Ｌ７は、垂直線であり、直線Ｌ２、直線Ｌ３、直線Ｌ６は、同一高さに位置する水平線である。）。
○第３の考案（請求項３に記載の考案）
●上記の課題を解決するための第３の考案（請求項３に記載の考案）は、前記透明な上面板が、後面板から前面板に向って下り勾配を有していることを特徴とする請求項１〜２のいずれかに記載されたネイルダスト飛散防止カバーである。
○第４の考案（請求項４に記載の考案）
●上記の課題を解決するための第４の考案（請求項４に記載の考案）は、前記第１開口部、前記第２開口部、前記第３開口部において、隅部が丸みを有していることを特徴とする請求項１〜３の何れかに記載のネイルダスト飛散防止カバーを特徴とする請求項１〜３の何れかに記載されたネイルダスト飛散防止カバーである。
○第５の考案（請求項５に記載の考案）
●上記の課題を解決するための第５の考案（請求項５に記載の考案）は、前記請求項１〜４の何れかに記載されたネイルダスト飛散防止カバーとその下に敷くシートとの組み合わせである。
【考案の効果】
【０００７】
本考案に係る、ネイルダスト飛散防止カバーは、上記のような特徴的構成用件から構成され、特徴的構成用件に応じた、以下のような本願考案特有の効果を奏する。ネイルダスト飛散防止カバーは、上記のような特徴的構成用件から構成され、特徴的構成用件に応じた、以下のような本願考案特有の効果を奏する。
また、上記のような特徴的構成用件から構成されたネイルダスト飛散防止カバーによれば、本願考案の課題を十分解消することができた。
○第１の考案の効果
●第１の考案によれば、前面板と背面板、左側面板と右側面板、及び透明な上面板で構成されたネイルダスト散乱防止カバーにおいて、左側面板と前面板と接合部に施術者の左手を入れる第１開口部を有し、右側面板と前面板と接合部が施術者の右手を入れる第２開口部を有し、上記後面板が被施術者の右手又は左手を入れる第３開口部を有することという特徴的な構成要件により、本考案が解決しようとする第１課題〜第５課題を達成することができ、当業者予測不可能な顕著な効果を奏することができた。
具体的には、ネイルダスト散乱防止カバーが前面板と背面板、左側面板と右側面板、及び透明な上面板で構成され、ネイルダスト散乱防止カバーをテーブルの上敷いたにシート上に置くことで、ネイルダスト発生源の六面全てを覆うことにより、考案が解決しようとする第１課題〜第２課題を達成することができ、当業者予測不可能な顕著な効果を奏することができた。
具体的には、ネイルダスト散乱防止カバーが、前面板と背面板、左側面板と右側面板、及び透明な上面板で構成されていて、底面板は存在しないことにより、本考案の製造の際に底面板の製造工程を省略することによって実現可能な安価なネイルダスト散乱防止カバーを提供するという課題（考案が解決しようとする第３課題）を達成することができ、当業者予測不可能な顕著な効果を奏することができた。
具体的には、ネイルダスト散乱防止カバーが前面板と背面板、左側面板と右側面板、及び透明な上面板で構成され、ネイルダスト散乱防止カバーをテーブルの上敷いたにシート上に置くことで、ネイルダスト発生源の六面全てを覆うことにより、かつ、ネイルダスト散乱防止カバーは板で構成された簡単な構成であるので薄板を用いたりプラスチック材料を用いたりして軽量化することができ、椅子に腰かけた被施術者又は施術者が不慮の原因により急に腰から床に落下した場合であっても、被施術者又は施術者の手がネイルダスト散乱防止カバーから力を受けた場合、その力の方向にネイルダスト散乱防止カバー自体が動くことにより、被施術者又は施術者の手に作用する力を逃して、被施術者又は施術者が怪我をしたり、痛みを感じたりしないようにしたネイルダスト散乱防止カバーを提供するという課題（考案が解決しようとする第４課題）を達成することができ、当業者予測不可能な顕著な効果を奏することができた。
具体的には、底面板が存在しないネイルダスト飛散防止カバーをテーブル上に敷いたシート上に置くことにより、ネイルダストはネイルダスト散乱防止カバー内のシート上に凝集・蓄積され、ネイルダスト飛散防止カバーを上方に開けて取り除き、凝集・蓄積されたネイルダストをシートの内側に包むように丸めることによって、シート毎ネイルダストを廃棄することができ、ネイルダスト散乱防止カバー内に溜められたネイルダストを簡単に廃棄可能なネイルダスト散乱防止カバーとシートを提供するという課題（考案が解決しようとする第５課題）を達成することができ、当業者予測不可能な顕著な効果を奏することができた。
○第２の考案の効果
●第２の考案によれば、第１の考案の構成要素である前記第１開口部、前記第２開口部、前記第３開口部を具体化することにより、第１の考案と同様、本考案が解決しようとする第１課題〜第５課題を達成することができ、当業者予測不可能な顕著な効果を奏することができた。
○第３の考案の効果
●第３の考案によれば、第１〜第２の考案の前記透明な上面板が、後面板から前面板に向って下り勾配を有していることという特徴的な構成要件により、施術者の視線と透明な前面板との角度が直角に近くなるように構成することによって、光の反射が防げ、施術者は被施術者のネイルを観察し易くなるという効果を奏することができ、かつ、第１〜第２の考案と同様、本考案が解決しようとする第１課題〜第５課題を達成することができ、当業者予測不可能な顕著な効果を奏することができた。
○第４の考案の効果
●第４の考案によれば、第１〜第３の考案の構成要素である前記第１開口部、前記第２開口部、前記第３開口部における隅部が丸みを有していることを特定することにより、被施術者の手が隅部に当たって痛みを感ずることのないようにするという効果を奏することができ、かつ、第１〜第３の考案と同様、本考案が解決しようとする第１課題〜第５課題を達成することができ、当業者予測不可能な顕著な効果を奏することができた。
○第５の考案の効果
●第５の考案によれば、前記ネイルダスト飛散防止カバーとその下に敷くシートとの組み合わせという特徴的な構成要件により、シートをテーブルに敷いてシートの上にネイルダスト飛散防止カバーをおいて、施術中に、ネイルダストがネイルダスト散乱防止カバー内のシート上に凝集・蓄積され、施術後、ネイルダスト飛散防止カバーを上方に開けて取り除き、凝集・蓄積されたネイルダストをシートの内側に包むように丸めることによって、シート毎ネイルダストを廃棄することができ、ネイルダスト散乱防止カバー内に溜められたネイルダストを簡単に廃棄可能なネイルダスト散乱防止カバーとシートを提供するという課題（考案が解決しようとする第５課題）を達成することができ、かつ、第１〜第４の考案と同様、本考案が解決しようとする第１課題〜第５課題を達成することができ、当業者予測不可能な顕著な効果を奏することができた。
【考案を実施するための最良の形態】
【０００８】
以下、本考案に係る、ネイルダスト飛散防止カバーに関する最良の実施形態について、図面を参照しながら説明する。ネイルダスト飛散防止カバーに関する最良の実施形態について、図面を参照しながら説明する。
図１は、本考案に係る、ネイルダスト飛散防止カバーの斜視図である。
図２は、本考案に係る、ネイルダスト飛散防止カバーの正面図と背面図である。
図３は、本考案に係る、ネイルダスト飛散防止カバーの左側面図と右側面図である。
図４は、本考案に係る、ネイルダスト飛散防止カバーの平面図と底面図である。
図５は、本考案に係る、ネイルダスト飛散防止カバーの使用状態図である。
以下、本考案に係る、ネイルダスト飛散防止カバーについて、図面を参照しながら説明する。
１１１１１＊＊＊＊＊＊＊＊＊＊＊＊＊＊＊＊＊＊＊＊＊＊＊＊＊＊＊＊＊＊＊＊＊
上記のネイルダスト飛散防止カバー１００において、前面板ＰＬ１と背面板ＰＬ２、左側面板ＰＬ３と右側面板ＰＬ４、及び透明な上面板ＰＬ５ＰＬ５で構成されたネイルダスト散乱防止カバー１００において、左側面板ＰＬ３と前面板ＰＬ１と接合部Ｃに施術者の左手を入れる第１開口部Ｏ１を有し、右側面板ＰＬ４と前面板ＰＬ１と接合部Ｃが施術者の右手を入れる第２開口部Ｏ２を有し、上記後面板が被施術者の右手又は左手を入れる第３開口部Ｏ３を有することを特徴とするネイルダスト飛散防止カバー１００が開示されている（図１、図２〜図４、図５）。
上記のネイルダスト飛散防止カバー１００（第１の考案）によれば、前面板ＰＬ１と背面板ＰＬ２、左側面板ＰＬ３と右側面板ＰＬ４、及び透明な上面板ＰＬ５で構成されたネイルダスト散乱防止カバーにおいて、左側面板ＰＬ３と前面板ＰＬ１と接合部に施術者の左手を入れる第１開口部Ｏ１を有し、右側面板ＰＬ４と前面板ＰＬ１と接合部が施術者の右手を入れる第２開口部Ｏ２を有し、上記後面板が被施術者の右手又は左手を入れる第３開口部Ｏ３を有することという特徴的な構成要件により、本考案が解決しようとする第１課題〜第５課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊
上記のネイルダスト飛散防止カバー１００において、前記第１開口部Ｏ１、前記第２開口部Ｏ２が、直線Ｌ１、直線Ｌ２、直線Ｌ３、直線Ｌ４で囲まれた切欠き部であり、  前記第３開口部Ｏ３が、直線Ｌ５、直線Ｌ６、直線Ｌ７で囲まれた切欠き部であることを特徴とする請求項１に記載されたネイルダスト飛散防止カバー１００（ここに、直線Ｌ１、直線Ｌ４、直線Ｌ５、直線Ｌ７は、垂直線であり、直線Ｌ２、直線Ｌ３、直線Ｌ６は、同一高さに位置する水平線である。）が開示されている（図１、図２〜図４、図５）。
上記のネイルダスト飛散防止カバー１００（第２の考案）によれば、前記第１開口部Ｏ１、前記第２開口部Ｏ２が、直線Ｌ１、直線Ｌ２、直線Ｌ３、直線Ｌ４で囲まれた切欠き部であり、前記第３開口部Ｏ３が、直線Ｌ５、直線Ｌ６、直線Ｌ７で囲まれた切欠き部である（ここに、直線Ｌ１、直線Ｌ４、直線Ｌ５、直線Ｌ７は、垂直線であり、直線Ｌ２、直線Ｌ３、直線Ｌ６は、同一高さに位置する水平線である）という特徴的な構成要件により、本考案が解決しようとする第１課題〜第５課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊
上記のネイルダスト飛散防止カバー１００において、前記透明な上面板ＰＬ５ＰＬ５が、後面板から前面板ＰＬ１に向って下り勾配を有していることを特徴とする請求項１〜２の何れかに記載されたネイルダスト飛散防止カバー１００が開示されている（図１、図２〜図４、図５）。
上記のネイルダスト飛散防止カバー１００（第３の考案）によれば、前記透明な上面板ＰＬ５が、後面板から前面板ＰＬ１に向って下り勾配を有していることという特徴的な構成要件により、施術者の視線と本考案が解決しようとする第１課題〜第５課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊
上記のネイルダスト飛散防止カバー１００において、前記第１開口部Ｏ１、前記第２開口部Ｏ２、前記第３開口部Ｏ３において、隅部Ｃ１、Ｃ２、Ｃ３、Ｃ４が丸みを有していることを特徴とする請求項１〜３の何れかに記載のネイルダスト飛散防止カバー１００を特徴とする請求項１〜３の何れかに記載されたネイルダスト飛散防止カバー１００が開示されている（図１、図２〜図４、図５）。
上記のネイルダスト飛散防止カバー１００（第４の考案）によれば、前記第１開口部Ｏ１、前記第２開口部Ｏ２、前記第３開口部Ｏ３において、隅部Ｃ１、Ｃ２、Ｃ３、Ｃ４が丸みを有していることを特徴とする請求項１〜３の何れかに記載のネイルダスト飛散防止カバー１００という特徴的な構成要件により、本考案が解決しようとする第１課題〜第５課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊
上記のネイルダスト飛散防止カバー１００において、前記ネイルダスト飛散防止カバー１００とその下に敷くシートＳとの組み合わせを特徴とする請求項１〜４の何れかに記載されたネイルダスト飛散防止カバー１００が開示されている（図１、図２〜図４、図５）。
上記のネイルダスト飛散防止カバー１００（第５の考案）によれば、前記ネイルダスト飛散防止カバー１００とその下に敷くシートＳとの組み合わせという特徴的な構成要件により、本考案が解決しようとする第１課題〜第５課題を達成することができ、当業者予測不可能な顕著な効果を奏することができた。
【図面の簡単な説明】
【０００９】
【図１】図１は、本考案に係る、ネイルダスト飛散防止カバーの斜視図である。
【図２】図２は、本考案に係る、ネイルダスト飛散防止カバーの正面図と背面図である。である。
【図３】図３は、本考案に係る、ネイルダスト飛散防止カバーの左側面図と右側面図である。である。
【図４】図４は、本考案に係る、ネイルダスト飛散防止カバーの平面図と底面図である。
【図５】図５は、本考案に係る、ネイルダスト飛散防止カバーの使用状態図である。
【符号の説明】
【００１０】
１００……ネイルダスト飛散防止カバー
ＰＬ１……前面板
ＰＬ２……背面板
ＰＬ３……左側面板
ＰＬ４……右側面板
ＰＬ６……上面板
Ｃ……接合部
Ｌ１……直線Ｌ１
Ｌ２……直線Ｌ２
Ｌ３……直線Ｌ３
Ｌ４……直線Ｌ４
Ｌ５……直線Ｌ５
Ｌ６……直線Ｌ６
Ｌ７……直線Ｌ７
Ｏ１……第１開口部
Ｏ２……第２開口部
Ｏ３……第３開口部
Ｃ１、Ｃ２、Ｃ３、Ｃ４……隅部
Ｓ……シート
ＴＡ……テーブル
ＣＲ……椅子
ＮＤ……施術者
ＰＡ……被施術者
【図１】
0003163058.tif 000003
【図２】
0003163058.tif 000004
【図３】
0003163058.tif 000005
【図４】
0003163058.tif 000006
【図５】
0003163058.tif 000007
【手続補正書】
【提出日】平成22年7月22日(2010.7.22)
【手続補正１】
【補正対象書類名】実用新案登録請求の範囲
【補正対象項目名】全文
【補正方法】変更
【補正の内容】
【実用新案登録請求の範囲】
【請求項１】
前面板と背面板、左側面板と右側面板、及び透明な上面板で構成されたネイルダスト散乱防止カバーにおいて、左側面板と前面板と接合部に施術者の左手を入れる第１開口部を有し、右側面板と前面板と接合部が施術者の右手を入れる第２開口部を有し、上記後面板が被施術者の右手又は左手を入れる第３開口部を有することを特徴とするネイルダスト飛散防止カバー。
【請求項２】
前記第１開口が、垂直線である直線Ｌ１、同一高さに位置する水平線である直線Ｌ２と直線Ｌ３、垂直線である直線Ｌ４で囲まれた切欠き部であり、
前記第２開口部が、垂直線である直線Ｌ１、同一高さに位置する水平線である直線Ｌ２と直線Ｌ３、垂直線である直線Ｌ４で囲まれた切欠き部であり、
前記第３開口部が、垂直線である直線Ｌ５、直線Ｌ２と直線Ｌ３と同一高さに位置する水平線である直線Ｌ６、垂直線である直線Ｌ７で囲まれた切欠き部であることを特徴とする請求項１に記載されたネイルダスト飛散防止カバー。
【請求項３】
前記透明な上面板が、後面板から前面板に向って下り勾配を有していることを特徴とする請求項１〜２の何れかに記載されたネイルダスト飛散防止カバー。
【請求項４】
前記第１開口部、前記第２開口部、前記第３開口部において、隅部が丸みを有していることを特徴とする請求項１〜３の何れかに記載のネイルダスト飛散防止カバー。
【請求項５】
前記請求項１〜４の何れかに記載されたネイルダスト飛散防止カバーとその下に敷くシートとの組み合わせ。
【手続補正２】
【補正対象書類名】明細書
【補正対象項目名】全文
【補正方法】変更
【補正の内容】
【考案の詳細な説明】
【技術分野】
【０００１】
本考案は、ネイルダスト飛散防止カバーに関する。より詳細には、爪の装飾や手入れを行うネイルサロン等では、専用の研磨装置を用いて爪の研磨が行われるが、この研磨により生じたネイルダスト飛散防止カバーに関する。
【背景技術】
【０００２】
爪の装飾や手入れを行うネイルサロン等では、専用の研磨装置を用いて爪の研磨が行われるが、この研磨により生じたネイルダストが飛散し、空気中に浮遊した状態となる。
【０００３】
このため、空気を吸引してフィルタ等で濾過することにより空気中のネイルダストを取り除く吸引装置を稼動させながら爪の研磨が行われていた。
なお、特許文献１には、このような吸引装置が内蔵された作業台が記載されている。
【先行技術文献】
【特許文献】
【０００４】
【特許文献１】特開２００６−３４６６１号公報
【考案の概要】
【考案が解決しようとする課題】
【０００５】
○本考案が解決しようとする第１課題
本考案が解決しようとする第１課題は、ネイルダストが散乱し、部屋が汚れ、不衛生となることを防止することができるネイルダスト散乱防止カバーを提供することである。
○本考案が解決しようとする第２課題
本考案が解決しようとする第２課題は、散乱したネイルダストを人が吸い込み、体内に入ることを防止すること防止することができるネイルダスト散乱防止カバーを提供することである。
○本考案が解決しようとする第３課題
本考案が解決しようとする第３課題は、製造の際の製造工程を省略することによって実現可能な安価なネイルダスト散乱防止カバーを提供することである。
○本考案が解決しようとする第４課題
本考案が解決しようとする第４課題は、椅子に腰かけた被施術者又は施術者が不慮の原因により急に腰から床に落下した場合であっても、被施術者又は施術者の手がネイルダスト散乱防止カバーから大きな力を受けて被施術者又は施術者が怪我をしたり、痛みを感じたりしないようにしたネイルダスト散乱防止カバーを提供することである。
○本考案が解決しようとする第５課題
本考案が解決しようとする第５課題は、ネイルダスト散乱防止カバー内に溜められたネイルダストを簡単に廃棄可能なネイルダスト散乱防止カバーとシートを提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○ネイルダストとは、爪の装飾や手入れを行うネイルサロン等では、専用の研磨装置を用いて爪の研磨が行われるが、この研磨により生じた粉塵等をいう。
○ネイルダスト散乱防止カバーとは、本考案にかかる物品であって、ネイルダストが、部屋の中で散乱するのを防止するためのカバーをいう。
ネイルダスト散乱防止カバーは、前面板と背面板、左側面板と右側面板、及び透明な上面板で構成されていて、底面板は存在せず、底面は開放されている。
○開口部とは、ネイルダスト散乱防止カバーにおいて、左側面板と前面板との接合部の一部、右側面板と前面板との接合部の一部、及び、後面板の一部が開放された部分をいう。
開口部には、左側面板と前面板と接合部に施術者の左手を入れる（出す）第１開口部があり、右側面板と前面板と接合部が施術者の右手を入れる（出す）第２開口部があり、上記後面板が被施術者の右手又は左手を入れる（出す）第３開口部がある。
○第１開口部とは、直線Ｌ１、直線Ｌ２、直線Ｌ３、直線Ｌ４で囲まれた開口部である。  ここに、直線Ｌ１、直線Ｌ４、直線Ｌ５、直線Ｌ７は、垂直線であり、直線Ｌ２、直線Ｌ３、直線Ｌ６は、同一高さに位置する水平線である。
○第２開口部とは、直線Ｌ１、直線Ｌ２、直線Ｌ３、直線Ｌ４で囲まれた開口部である。  ここに、直線Ｌ１、直線Ｌ４、直線Ｌ５、直線Ｌ７は、垂直線であり、直線Ｌ２、直線Ｌ３、直線Ｌ６は、同一高さに位置する水平線である。
○第３開口部とは、直線Ｌ５、直線Ｌ６、直線Ｌ７で囲まれた開口部である。  ここに、直線Ｌ１、直線Ｌ４、直線Ｌ５、直線Ｌ７は、垂直線であり、直線Ｌ２、直線Ｌ３、直線Ｌ６は、同一高さに位置する水平線である。
○直線Ｌ１、直線Ｌ２、直線Ｌ３、直線Ｌ４とは、第１開口部、第２開口部の輪郭線の全て又は一部を構成する垂直線又は水平線である。  ここに、直線Ｌ１、直線Ｌ４、直線Ｌ５、直線Ｌ７は、垂直線であり、直線Ｌ２、直線Ｌ３、直線Ｌ６は、同一高さに位置する水平線である。
○直線Ｌ５、直線Ｌ６、直線Ｌ７とは、第３開口部の輪郭線の全て又は一部を構成する垂直線又は水平線である。  ここに、直線Ｌ１、直線Ｌ４、直線Ｌ５、直線Ｌ７は、垂直線であり、直線Ｌ２、直線Ｌ３、直線Ｌ６は、同一高さに位置する水平線である。
○前面板と背面板、左側面板と右側面板、及び透明な上面板とは、ネイルダスト散乱防止カバーを構成する構成要件である。
明な上面板とあるのは、施術者が被施術者の手を観察しながら、ネイル美容を施すことを容易にするためである。
○隅部Ｃ１、Ｃ２、Ｃ３、Ｃ４とは、隅部の位置を明確にするために、それぞれ符号Ｃ１、Ｃ２、Ｃ３、Ｃ４を付したものである。
課題を解決するための手段は、本願の実用新案登録請求の範囲の各請求項に記載の考案であり、その具体的な解決手段は、以下の通りである。
○第１の考案（請求項１に記載の考案）
●上記の課題を解決するための第１の考案（請求項１に記載の考案）は、前面板と背面板、左側面板と右側面板、及び透明な上面板で構成されたネイルダスト散乱防止カバーにおいて、左側面板と前面板と接合部に施術者の左手を入れる第１開口部を有し、右側面板と前面板と接合部が施術者の右手を入れる第２開口部を有し、上記後面板が被施術者の右手又は左手を入れる第３開口部を有することを特徴とするネイルダスト飛散防止カバーである。
○第２の考案（請求項２に記載の考案）
●上記の課題を解決するための第２の考案（請求項２に記載の考案）は、前記第１開口が、垂直線である直線Ｌ１、同一高さに位置する水平線である直線Ｌ２と直線Ｌ３、垂直線である直線Ｌ４で囲まれた切欠き部であり、
前記第２開口部が、垂直線である直線Ｌ１、同一高さに位置する水平線である直線Ｌ２と直線Ｌ３、垂直線である直線Ｌ４で囲まれた切欠き部であり、
前記第３開口部が、垂直線である直線Ｌ５、直線Ｌ２と直線Ｌ３と同一高さに位置する水平線である直線Ｌ６、垂直線である直線Ｌ７で囲まれた切欠き部であることを特徴とする請求項１に記載されたネイルダスト飛散防止カバーである
○第３の考案（請求項３に記載の考案）
●上記の課題を解決するための第３の考案（請求項３に記載の考案）は、前記透明な上面板が、後面板から前面板に向って下り勾配を有していることを特徴とする請求項１〜２のいずれかに記載されたネイルダスト飛散防止カバーである。
○第４の考案（請求項４に記載の考案）
●上記の課題を解決するための第４の考案（請求項４に記載の考案）は、前記第１開口部、前記第２開口部、前記第３開口部において、隅部が丸みを有していることを特徴とする請求項１〜３の何れかに記載のネイルダスト飛散防止カバーを特徴とする請求項１〜３の何れかに記載されたネイルダスト飛散防止カバーである。
○第５の考案（請求項５に記載の考案）
●上記の課題を解決するための第５の考案（請求項５に記載の考案）は、前記請求項１〜４の何れかに記載されたネイルダスト飛散防止カバーとその下に敷くシートとの組み合わせである。
【考案の効果】
【０００７】
本考案に係る、ネイルダスト飛散防止カバーは、上記のような特徴的構成用件から構成され、特徴的構成用件に応じた、以下のような本願考案特有の効果を奏する。ネイルダスト飛散防止カバーは、上記のような特徴的構成用件から構成され、特徴的構成用件に応じた、以下のような本願考案特有の効果を奏する。
また、上記のような特徴的構成用件から構成されたネイルダスト飛散防止カバーによれば、本願考案の課題を十分解消することができた。
○第１の考案の効果
●第１の考案によれば、前面板と背面板、左側面板と右側面板、及び透明な上面板で構成されたネイルダスト散乱防止カバーにおいて、左側面板と前面板と接合部に施術者の左手を入れる第１開口部を有し、右側面板と前面板と接合部が施術者の右手を入れる第２開口部を有し、上記後面板が被施術者の右手又は左手を入れる第３開口部を有することという特徴的な構成要件により、本考案が解決しようとする第１課題〜第５課題を達成することができ、当業者予測不可能な顕著な効果を奏することができた。
具体的には、ネイルダスト散乱防止カバーが前面板と背面板、左側面板と右側面板、及び透明な上面板で構成され、ネイルダスト散乱防止カバーをテーブルの上敷いたにシート上に置くことで、ネイルダスト発生源の六面全てを覆うことにより、考案が解決しようとする第１課題〜第２課題を達成することができ、当業者予測不可能な顕著な効果を奏することができた。
具体的には、ネイルダスト散乱防止カバーが、前面板と背面板、左側面板と右側面板、及び透明な上面板で構成されていて、底面板は存在しないことにより、本考案の製造の際に底面板の製造工程を省略することによって実現可能な安価なネイルダスト散乱防止カバーを提供するという課題（考案が解決しようとする第３課題）を達成することができ、当業者予測不可能な顕著な効果を奏することができた。
具体的には、ネイルダスト散乱防止カバーが前面板と背面板、左側面板と右側面板、及び透明な上面板で構成され、ネイルダスト散乱防止カバーをテーブルの上敷いたにシート上に置くことで、ネイルダスト発生源の六面全てを覆うことにより、かつ、ネイルダスト散乱防止カバーは板で構成された簡単な構成であるので薄板を用いたりプラスチック材料を用いたりして軽量化することができ、椅子に腰かけた被施術者又は施術者が不慮の原因により急に腰から床に落下した場合であっても、被施術者又は施術者の手がネイルダスト散乱防止カバーから力を受けた場合、その力の方向にネイルダスト散乱防止カバー自体が動くことにより、被施術者又は施術者の手に作用する力を逃して、被施術者又は施術者が怪我をしたり、痛みを感じたりしないようにしたネイルダスト散乱防止カバーを提供するという課題（考案が解決しようとする第４課題）を達成することができ、当業者予測不可能な顕著な効果を奏することができた。
具体的には、底面板が存在しないネイルダスト飛散防止カバーをテーブル上に敷いたシート上に置くことにより、ネイルダストはネイルダスト散乱防止カバー内のシート上に凝集・蓄積され、ネイルダスト飛散防止カバーを上方に開けて取り除き、凝集・蓄積されたネイルダストをシートの内側に包むように丸めることによって、シート毎ネイルダストを廃棄することができ、ネイルダスト散乱防止カバー内に溜められたネイルダストを簡単に廃棄可能なネイルダスト散乱防止カバーとシートを提供するという課題（考案が解決しようとする第５課題）を達成することができ、当業者予測不可能な顕著な効果を奏することができた。
○第２の考案の効果
●第２の考案によれば、第１の考案の構成要素である前記第１開口部、前記第２開口部、前記第３開口部を具体化することにより、第１の考案と同様、本考案が解決しようとする第１課題〜第５課題を達成することができ、当業者予測不可能な顕著な効果を奏することができた。
○第３の考案の効果
●第３の考案によれば、第１〜第２の考案の前記透明な上面板が、後面板から前面板に向って下り勾配を有していることという特徴的な構成要件により、施術者の視線と透明な前面板との角度が直角に近くなるように構成することによって、光の反射が防げ、施術者は被施術者のネイルを観察し易くなるという効果を奏することができ、かつ、第１〜第２の考案と同様、本考案が解決しようとする第１課題〜第５課題を達成することができ、当業者予測不可能な顕著な効果を奏することができた。
○第４の考案の効果
●第４の考案によれば、第１〜第３の考案の構成要素である前記第１開口部、前記第２開口部、前記第３開口部における隅部が丸みを有していることを特定することにより、被施術者の手が隅部に当たって痛みを感ずることのないようにするという効果を奏することができ、かつ、第１〜第３の考案と同様、本考案が解決しようとする第１課題〜第５課題を達成することができ、当業者予測不可能な顕著な効果を奏することができた。
○第５の考案の効果
●第５の考案によれば、前記ネイルダスト飛散防止カバーとその下に敷くシートとの組み合わせという特徴的な構成要件により、シートをテーブルに敷いてシートの上にネイルダスト飛散防止カバーをおいて、施術中に、ネイルダストがネイルダスト散乱防止カバー内のシート上に凝集・蓄積され、施術後、ネイルダスト飛散防止カバーを上方に開けて取り除き、凝集・蓄積されたネイルダストをシートの内側に包むように丸めることによって、シート毎ネイルダストを廃棄することができ、ネイルダスト散乱防止カバー内に溜められたネイルダストを簡単に廃棄可能なネイルダスト散乱防止カバーとシートを提供するという課題（考案が解決しようとする第５課題）を達成することができ、かつ、第１〜第４の考案と同様、本考案が解決しようとする第１課題〜第５課題を達成することができ、当業者予測不可能な顕著な効果を奏することができた。
【考案を実施するための最良の形態】
【０００８】
以下、本考案に係る、ネイルダスト飛散防止カバーに関する最良の実施形態について、図面を参照しながら説明する。ネイルダスト飛散防止カバーに関する最良の実施形態について、図面を参照しながら説明する。
図１は、本考案に係る、ネイルダスト飛散防止カバーの斜視図である。
図２は、本考案に係る、ネイルダスト飛散防止カバーの正面図と背面図である。
図３は、本考案に係る、ネイルダスト飛散防止カバーの左側面図と右側面図である。
図４は、本考案に係る、ネイルダスト飛散防止カバーの平面図と底面図である。
図５は、本考案に係る、ネイルダスト飛散防止カバーの使用状態図である。
以下、本考案に係る、ネイルダスト飛散防止カバーについて、図面を参照しながら説明する。
１１１１１＊＊＊＊＊＊＊＊＊＊＊＊＊＊＊＊＊＊＊＊＊＊＊＊＊＊＊＊＊＊＊＊＊
上記のネイルダスト飛散防止カバー１００において、前面板ＰＬ１と背面板ＰＬ２、左側面板ＰＬ３と右側面板ＰＬ４、及び透明な上面板ＰＬ５で構成されたネイルダスト散乱防止カバー１００において、左側面板ＰＬ３と前面板ＰＬ１と接合部Ｃに施術者の左手を入れる第１開口部Ｏ１を有し、右側面板ＰＬ４と前面板ＰＬ１と接合部Ｃが施術者の右手を入れる第２開口部Ｏ２を有し、上記後面板が被施術者の右手又は左手を入れる第３開口部Ｏ３を有することを特徴とするネイルダスト飛散防止カバー１００が開示されている（図１、図２〜図４、図５）。
上記のネイルダスト飛散防止カバー１００（第１の考案）によれば、前面板ＰＬ１と背面板ＰＬ２、左側面板ＰＬ３と右側面板ＰＬ４、及び透明な上面板ＰＬ５で構成されたネイルダスト散乱防止カバーにおいて、左側面板ＰＬ３と前面板ＰＬ１と接合部に施術者の左手を入れる第１開口部Ｏ１を有し、右側面板ＰＬ４と前面板ＰＬ１と接合部が施術者の右手を入れる第２開口部Ｏ２を有し、上記後面板が被施術者の右手又は左手を入れる第３開口部Ｏ３を有することという特徴的な構成要件により、本考案が解決しようとする第１課題〜第５課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊
上記のネイルダスト飛散防止カバー１００において、前記第１開口O1が、垂直線である直線Ｌ１、同一高さに位置する水平線である直線Ｌ２と直線Ｌ３、垂直線である直線Ｌ４で囲まれた切欠き部であり、
前記第２開口部O2が、垂直線である直線Ｌ１、同一高さに位置する水平線である直線Ｌ２と直線Ｌ３、垂直線である直線Ｌ４で囲まれた切欠き部であり、
前記第３開口部O3が、垂直線である直線Ｌ５、直線Ｌ２と直線Ｌ３と同一高さに位置する水平線である直線Ｌ６、垂直線である直線Ｌ７で囲まれた切欠き部であることを特徴とする請求項１に記載されたネイルダスト飛散防止カバー100が開示されている（図１、図２〜図４、図５）。
上記のネイルダスト飛散防止カバー１００（第２の考案）によれば、前記第１開口部Ｏ１、前記第２開口部Ｏ２が、直線Ｌ１、直線Ｌ２、直線Ｌ３、直線Ｌ４で囲まれた切欠き部であり、前記第３開口部Ｏ３が、直線Ｌ５、直線Ｌ６、直線Ｌ７で囲まれた切欠き部である（ここに、直線Ｌ１、直線Ｌ４、直線Ｌ５、直線Ｌ７は、垂直線であり、直線Ｌ２、直線Ｌ３、直線Ｌ６は、同一高さに位置する水平線である）という特徴的な構成要件により、本考案が解決しようとする第１課題〜第５課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊
上記のネイルダスト飛散防止カバー１００において、前記透明な上面板ＰＬ５が、後面板から前面板ＰＬ１に向って下り勾配を有していることを特徴とする請求項１〜２の何れかに記載されたネイルダスト飛散防止カバー１００が開示されている（図１、図２〜図４、図５）。
上記のネイルダスト飛散防止カバー１００（第３の考案）によれば、前記透明な上面板ＰＬ５が、後面板から前面板ＰＬ１に向って下り勾配を有していることという特徴的な構成要件により、施術者の視線と本考案が解決しようとする第１課題〜第５課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊
上記のネイルダスト飛散防止カバー１００において、前記第１開口部Ｏ１、前記第２開口部Ｏ２、前記第３開口部Ｏ３において、隅部Ｃ１、Ｃ２、Ｃ３、Ｃ４が丸みを有していることを特徴とする請求項１〜３の何れかに記載のネイルダスト飛散防止カバー１００を特徴とする請求項１〜３の何れかに記載されたネイルダスト飛散防止カバー１００が開示されている（図１、図２〜図４、図５）。
上記のネイルダスト飛散防止カバー１００（第４の考案）によれば、前記第１開口部Ｏ１、前記第２開口部Ｏ２、前記第３開口部Ｏ３において、隅部Ｃ１、Ｃ２、Ｃ３、Ｃ４が丸みを有していることを特徴とする請求項１〜３の何れかに記載のネイルダスト飛散防止カバー１００という特徴的な構成要件により、本考案が解決しようとする第１課題〜第５課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊
上記のネイルダスト飛散防止カバー１００において、前記ネイルダスト飛散防止カバー１００とその下に敷くシートＳとの組み合わせを特徴とする請求項１〜４の何れかに記載されたネイルダスト飛散防止カバー１００が開示されている（図１、図２〜図４、図５）。
上記のネイルダスト飛散防止カバー１００（第５の考案）によれば、前記ネイルダスト飛散防止カバー１００とその下に敷くシートＳとの組み合わせという特徴的な構成要件により、本考案が解決しようとする第１課題〜第５課題を達成することができ、当業者予測不可能な顕著な効果を奏することができた。
【図面の簡単な説明】
【０００９】
【図１】図１は、本考案に係る、ネイルダスト飛散防止カバーの斜視図である。
【図２】図２は、本考案に係る、ネイルダスト飛散防止カバーの正面図と背面図である。である。
【図３】図３は、本考案に係る、ネイルダスト飛散防止カバーの左側面図と右側面図である。である。
【図４】図４は、本考案に係る、ネイルダスト飛散防止カバーの平面図と底面図である。
【図５】図５は、本考案に係る、ネイルダスト飛散防止カバーの使用状態図である。
【符号の説明】
【００１０】
１００……ネイルダスト飛散防止カバー
ＰＬ１……前面板
ＰＬ２……背面板
ＰＬ３……左側面板
ＰＬ４……右側面板
ＰＬ６……上面板
Ｃ……接合部
Ｌ１……直線Ｌ１
Ｌ２……直線Ｌ２
Ｌ３……直線Ｌ３
Ｌ４……直線Ｌ４
Ｌ５……直線Ｌ５
Ｌ６……直線Ｌ６
Ｌ７……直線Ｌ７
Ｏ１……第１開口部
Ｏ２……第２開口部
Ｏ３……第３開口部
Ｃ１、Ｃ２、Ｃ３、Ｃ４……隅部
Ｓ……シート
ＴＡ……テーブル
ＣＲ……椅子
ＮＤ……施術者
ＰＡ……被施術者